(57)【要約】【課題】  胴に張設されたヘッドを打叩してヘッドの振動で発音する膜鳴タイプの打楽器について、音楽の嗜好性の多様化に対応した微妙な音色の調整を可能にする。【解決手段】  胴に張設されたヘッド２を打叩してヘッド２の振動で発音する膜鳴タイプの打楽器のヘッド２の打叩面２１の裏面２２に粘着剤５で貼着されて使用される。ヘッド２に貼着される裾部４１から胴の内部に突出される頂部４２に向けて径が小さくなるように形成された中空のコーン形の調整筒４からなる。調整筒４には、貼着代４５，ビード４６が設けられている。【選択図】図１
2012037547.tif 000002
【特許請求の範囲】
【請求項１】
胴に張設されたヘッドを打叩してヘッドの振動で発音する膜鳴タイプの打楽器のヘッドの打叩面の裏面に貼着されて使用されるものであって、ヘッドに貼着される裾部から胴の内部に突出される頂部に向けて径が小さくなるように形成された中空のコーン形の調整筒からなることを特徴とする打楽器用音色調整具。
【請求項２】
請求項１の打楽器用音色調整具において、調整筒は裾部の外周縁にヘッドに当接されるリング形の貼着代が設けられていることを特徴とする打楽器用音色調整具。
【請求項３】
請求項１または２の打楽器用音色調整具において、調整筒は頂部，裾部の間の中腹部に環状のビードが設けられていることを特徴とする打楽器用音色調整具。
【請求項４】
請求項１〜３の打楽器用音色調整具の調整筒が中心をヘッドの打叩点の中心に一致させてヘッドに貼着されていることを特徴とする打楽器用ヘッド。
【請求項５】
請求項４の打楽器用ヘッドにおいて、ヘッドの打叩点の中心がヘッドの中心に設定されていることを特徴とする打楽器用ヘッド。
【発明の詳細な説明】
【技術分野】
【０００１】
本発明は、胴に張設されたヘッド（皮，膜）を打叩してヘッドの振動で発音する膜鳴タイプの打楽器の音色の調整に係る技術分野に属する。
【背景技術】
【０００２】
最近、音楽の嗜好性の多様化から、打楽器の音色にも変化が求められるようになってきている。膜鳴タイプの打楽器では、ヘッドの振動が変化すると音色も変化することから、ヘッドに音色の調整具を取付けることが試みられている。
【０００３】
従来、膜鳴タイプの打楽器における音色の調整の技術としては、例えば、特許文献１に記載のものが知られている。
【０００４】
特許文献１には、ヘッドの打叩面の裏面に環状の振動吸収材を張設する技術が記載されている。
【０００５】
特許文献１に係る技術は、振動吸収材によってヘッドの振動を吸収することで、音量を減衰するという調整を行うものである。
【先行技術文献】
【特許文献】
【０００６】
【特許文献１】実用新案登録第３００４７６８号公報
【発明の概要】
【発明が解決しようとする課題】
【０００７】
特許文献１の技術では、単に音量を減衰するという調整が行われるにすぎず、音楽の嗜好性の多様化に対応した微妙な音色の調整を期すことができないという問題点がある。
【０００８】
本発明は、このような問題点を考慮してなされたもので、音楽の嗜好性の多様化に対応した微妙な音色の調整を可能にする打楽器用音色調整具と、この打楽器用音色調整具が取付けられた打楽器用ヘッドとを提供することを課題とする。
【課題を解決するための手段】
【０００９】
前述の課題を解決するため、本発明に係る打楽器用音色調整具は、特許請求の範囲の請求項１〜３に記載の手段を採用する。
【００１０】
即ち、請求項１では、胴に張設されたヘッドを打叩してヘッドの振動で発音する膜鳴タイプの打楽器のヘッドの打叩面の裏面に貼着されて使用されるものであって、ヘッドに貼着される裾部から胴の内部に突出される頂部に向けて径が小さくなるように形成された中空のコーン形の調整筒からなることを特徴とする。
【００１１】
この手段では、ヘッドの打叩面の裏面にコーン形の調整筒が貼着されることで、打叩されたヘッドの振動波の一部が調整筒の内部で反射されて複雑に集合され頂部から指向性をもって放出される。
【００１２】
また、請求項２では、請求項１の打楽器用音色調整具において、調整筒は裾部の外周縁にヘッドに当接されるリング形の貼着代が設けられていることを特徴とする。
【００１３】
この手段では、調整筒の裾部に貼着代が設けられることで、調整筒をヘッドに安定的に貼着することができるようになる。
【００１４】
また、請求項３では、請求項１または２の打楽器用音色調整具において、調整筒は頂部，裾部の間の中腹部に環状のビードが設けられていることを特徴とする。
【００１５】
この手段では、調整筒の中腹部にビードが設けられることで、調整筒が補強されるとともに、ヘッドの振動波の反射，集合がより複雑化される。
【００１６】
前述の課題を解決するため、本発明に係る打楽器用ヘッドは、特許請求の範囲の請求項４，５に記載の手段を採用する。
【００１７】
即ち、請求項４では、請求項１〜３の打楽器用音色調整具の調整筒が中心をヘッドの打叩点の中心に一致させてヘッドに貼着されていることを特徴とする。
【００１８】
この手段では、音楽の嗜好性の多様化に対応した微妙な音色の調整がなされる打楽器用音色調整具がヘッドの打叩点に貼着された状態で製品化されることで、ヘッドへの打楽器用音色調整具の貼着作業が不要になる。
【００１９】
また、請求項５では、請求項４の打楽器用ヘッドにおいて、ヘッドの打叩点の中心がヘッドの中心に設定されていることを特徴とする。
【００２０】
この手段では、ヘッドの打叩点の中心であるヘッドの中心に打楽器用音色調整具が貼着されることで、ヘッドへの打楽器用音色調整具の貼着が容易となる。
【発明の効果】
【００２１】
本発明に係る打楽器用音色調整具は、ヘッドの打叩面の裏面にコーン形の調整筒が貼着されることで、打叩されたヘッドの振動波の一部が調整筒の内部で反射されて複雑に集合され頂部から指向性をもって放出されるため、打叩されたヘッドの振動波が複雑化して、音楽の嗜好性の多様化に対応した微妙な音色の調整がなされ、特に高音領域での出力に優れたものとなる。
【００２２】
また、請求項２として、調整筒の裾部に貼着代が設けられることで、調整筒をヘッドに安定的に貼着することができるようになるため、ヘッドが激しく打叩されても脱落しない耐久性が得られる効果がある。
【００２３】
また、請求項３として、調整筒の中腹部にビードが設けられることで、調整筒が補強されるとともに、ヘッドの振動波の反射，集合がより複雑化されるため、強度面での耐久性が高くなるとともに、音楽の嗜好性の多様化に対応したより微妙な音色の調整がなされる効果がある。
【００２４】
さらに、本発明に係る打楽器用ヘッドは、音楽の嗜好性の多様化に対応した微妙な音色の調整がなされる打楽器用音色調整具がヘッドの打叩点に貼着された状態で製品化されることで、ヘッドへの打楽器用音色調整具の貼着作業が不要になるため、打楽器用音色調整具のヘッドへの適正な位置への面倒な位置合わせが不要になる効果がある。
【００２５】
また、請求項５として、ヘッドの打叩点の中心であるヘッドの中心に打楽器用音色調整具が貼着されることで、ヘッドへの打楽器用音色調整具の貼着が容易となるため、製造コストを低減することができる効果がある。
【図面の簡単な説明】
【００２６】
【図１】本発明に係る打楽器用音色調整具および打楽器用ヘッドを実施するための形態の第１例の断面図である。
【図２】図１の全体の一部を透視した斜視図である。
【図３】図１の音色の調整の機能を説明する簡略図である。
【図４】図１の音色の調整の機能を裏付けるグラフである。
【図５】本発明に係る打楽器用音色調整具および打楽器用ヘッドを実施するための形態の第２例の断面図である。
【図６】本発明に係る打楽器用音色調整具および打楽器用ヘッドを実施するための形態の第３例の断面図である。
【図７】本発明に係る打楽器用音色調整具および打楽器用ヘッドを実施するための形態の第４例の断面図である。
【発明を実施するための形態】
【００２７】
以下、本発明に係る打楽器用音色調整具および打楽器用ヘッドを実施するための形態を図面に基づいて説明する。
【００２８】
図１〜図４は、本発明に係る打楽器用音色調整具および打楽器用ヘッドを実施するための形態の第１例を示すものである。
【００２９】
第１例では、図２に示すように、円筒形の胴１の両側にヘッド２，３が張設されたドラムからなる打楽器に適用されるものを示してある。
【００３０】
第１例は、図１に示すように、打楽器用音色調整具が打面となる側のヘッド２に貼着されて使用される調整筒４として構成される。
【００３１】
調整筒４は、裾部４１から頂部４２に向けて径が小さくなるように形成された中空のコーン形からなるもので、スピーカのコーンに近似した形状に、織布を用いた芯材にフェノール樹脂等の合成樹脂を含浸させて加熱成形したもの等で形成されている。従って、裾部４１が相対的に大きく開口され、頂部４２が相対的に小さく開口されている。裾部４１の外周縁には、頂部４２方向に隆起した格好の断面形状が円弧形の緩衝部４３が環状に設けられ、緩衝部４３の外側にヘッド２の打叩面２１の裏面２２に当接されるリング形の代４４が設けられている。裾部４１，頂部４２の間の中腹部４５には、環状のビード４６が複数個設けられている。
【００３２】
この調整筒４は、図１，図２に示すように、打面となる側のヘッド２の打叩面２１の裏面２２に粘着剤５で貼着されて使用される。粘着剤５は、調整筒４の貼着代４４に塗布される。なお、粘着剤５については、予め調整筒４の貼着代４４に塗着して剥離紙で被覆しておき、貼着の際に剥離紙を剥離して露出させるようにすると、調整筒４の貼着が便利になる。
【００３３】
ヘッド２に貼着された調整筒４は、頂部４２が胴１の内部に突出して反対側のヘッド３に対面される格好となる。
【００３４】
調整筒４が貼着されたヘッド２が打叩されると、図３に示すように、ヘッド２の反対側のヘッド３に向かう振動波の一部ａが調整筒２の内部で直進を阻まれ反射されて直進する他の一部ｂと複雑に集合され相対的に小さく開口されている頂部４２から指向性をもって放出されることになる。この結果、調整筒４の頂部４２の開口ｒに相当する部分のヘッド２の振動波が他の振動波と相違することになって、打叩されたヘッドの振動波が複雑化して、音楽の嗜好性の多様化に対応した微妙な音色の調整がなされる。この微妙な音色の調整については、人の感性で表現が異なるものの、「ヘッド２の打叩音が変化（強化，明瞭化）した」，「バスドラムに落着感が得られる」，「アンサンブルでドラムが目立ちすぎなくなる」等の感想が得られている。なお、これ等の感想を裏付けるものとして、図４に示すように、調整筒４が貼着されたヘッド２の振動波が高音域になるほど音圧が高くなることが実験で実証された。即ち、図４において、白棒グラフが調整筒４の貼着されないヘッド２について及び黒棒グラフが調整筒４の貼着されたヘッド２についての変化であり、１．０ｋＨｚ〜５．０ｋＨｚの比較的低周波域での出力を残しつつ、５．０ｋＨｚ以上の高周波域において音圧レベルが大きな値を示し、高音領域での出力に優れた効果のあることが確認された。
【００３５】
音色の調整においては、調整筒４の緩衝部４３がヘッド２振動で弾性変形して、調整筒４のヘッド２との無用の衝突音等の異音の発生を防止している。また、調整筒４のビード４６が調整筒４の内部における振動波の反射，集合をより複雑化している。なお、調整筒４のビード４６は、調整筒４を補強して強度面での耐久性が高めることにも寄与している。
【００３６】
第１例の使用においては、調整筒４に貼着代４４が設けられているため、調整筒４がヘッド２に安定的に貼着されヘッド２が激しく打叩されても脱落しない耐久性が得られる。
【００３７】
なお、複数個の調整筒４をヘッド２に貼着することも可能である。
【００３８】
また、調整筒４は、中心（軸線）がヘッド２の打叩点の中心に位置されていることが理想的である。従って、ヘッド２の打叩点が一定であるバスドラム用としては、調整筒４をヘッド２に貼着した打楽器用ヘッドを製品として提供するのが好ましい。このように提供された打楽器用ヘッドでは、ヘッド２への打楽器用音色調整具（調整筒４）の貼着作業が不要になるため、打楽器用音色調整具（調整筒４）のヘッド２への適正な位置への面倒な位置合わせが不要になる。なお、バスドラム等では、通常ヘッド２の打叩点がヘッド２の中心に設定されているため、打楽器用音色調整具（調整筒４）の位置合わせが面倒になることもない。
【００３９】
図５は、本発明に係る打楽器用音色調整具および打楽器用ヘッドを実施するための形態の第２例を示すものである。
【００４０】
第２例は、調整筒４の中腹部４５が外側に膨出した椀形に近いコーン形とされている。
【００４１】
第２例によると、調整筒４の内部における振動波の反射，集合をより複雑化することができる。
【００４２】
図６は、本発明に係る打楽器用音色調整具および打楽器用ヘッドを実施するための形態の第３例を示すものである。
【００４３】
第３例は、調整筒４の中腹部４５が内側に凹んだ漏斗形に近いコーン形とされている。ある。
【００４４】
第３例によると、調整筒４の内部における振動波の反射，集合をより複雑化することができる。
【００４５】
図７は、本発明に係る打楽器用音色調整具および打楽器用ヘッドを実施するための形態の第４例を示すものである。
【００４６】
第４例は、調整筒４の中腹部４５が内外側に出入りする波形となったコーン形とされている。
【００４７】
第４例によると、調整筒４の内部における振動波の反射，集合をより複雑化することができる。
【００４８】
以上、図示した各例の外に、調整筒４をヘッド２に打楽器用ヘッドを製品として提供する際の貼着には、粘着剤による他、接着剤及び熱溶着等の他の貼着手段を採用することも可能である。
【産業上の利用可能性】
【００４９】
本発明に係る打楽器用音色調整具および打楽器用ヘッドは、ドラム以外の広範な膜鳴タイプの打楽器に適用することが可能である。  
【符号の説明】
【００５０】
１            胴
２            ヘッド
２１          打叩面
２２          裏面
４            調整筒
４１          裾部
４２          頂部
４４          貼着代
４６          ビード
５            粘着剤５
【図１】
2012037547.tif 000003
【図２】
2012037547.tif 000004
【図３】
2012037547.tif 000005
【図４】
2012037547.tif 000006
【図５】
2012037547.tif 000007
【図６】
2012037547.tif 000008
【図７】
2012037547.tif 000009